(57)【要約】【課題】  この考案は万が一、注入されるミネラルに雑菌が繁殖しても殺菌装置を内蔵した中間タンクを設ける事で、安全な製品水が供給可能と成り、且つ、ミネラルの代わりに、より雑菌の繁殖が予見されるお茶の濃縮液やフレーバーの濃縮液を設置する事も可能なミネラル濃度安定型水の自動販売装置を開発・提供する事にある。【解決手段】  給水配管部に並列接続して設け、ミネラル濃縮液を注入したミネラルタンクと、紫外線殺菌装置や過熱殺菌装置を内蔵して設けた殺菌用中間タンクと、ミネラルタンク内のミネラル水を安定して注水する為の制御部と、ミネラル注水ポンプと、希望濃度選択ボタンとから成り、該希望濃度選択ボタンと制御部を連動させる事により、ミネラル注入ポンプの回転数や脈動数を一定に保ち、作動時間を変化させて、一定流量を確保する事により、ミネラルを安定して注入可能にしたものである。【選択図】  図１
0003136999.tif 000002
【実用新案登録請求の範囲】
【請求項１】
水を処理する水処理装置を有する造水部のケーシング（Ａ）と、水を販売するサーバー部のケーシング（Ｂ）とを、分離して設け、該ケーシング（Ｂ）でミネラル水を注入して販売するミネラル注入装置を有する自動販売機において、ミネラル注入装置は、給水配管部に並列接続して設け、ミネラル濃縮液を注入したミネラルタンク（Ｄ）と、紫外線殺菌装置や過熱殺菌装置を内蔵して設けた殺菌用中間タンク（１）と、ミネラルタンク内のミネラル水を安定して注水する為の制御部（２）と、ミネラル注水ポンプ（３）と、希望濃度選択ボタン（Ｇ）とから成り、該希望濃度選択ボタン（Ｇ）と制御部（２）を連動させる事により、ミネラル注入ポンプ（３）の回転数や脈動数を一定に保ち、作動時間を変化させて、一定流量を確保する事により、ミネラルを安定して注入可能にした事を特徴とするミネラル濃度安定型水の自動販売装置。
【考案の詳細な説明】
【技術分野】
【０００１】
この考案は、ミネラル濃度安定型水の自動販売装置に関するものである。
【背景技術】
【０００２】
従来、地下水や水道水を原料とし、浄化装置により濾過された水を、顧客が持参した容器に注水して販売する、水の販売装置が存在している。
【０００３】
しかし、この水の自動販売装置は、電動力応用機械器具に該当し、電気用品安全法に基づく電気装置の認証を受ける必要がある。しかしながら、当該水処理装置の自動販売機の内、販売部が該当するものである。
【０００４】
又、従来のミネラル注入方法は、ミネラルポンプの回転数又は脈動数を変化させる事により濃度を変化させミネラルを注入していた。しかし、この方法では、注入流速がフィルターの圧力損失等で変化したり、又、最終フィルター等にミネラルが残り、ミネラル濃度が安定せず、又、ミネラル濃縮液の供給方法が、ミネラル濃縮液タンクから直接ミネラル注入ポンプの供給側パイプを接続している為、作業者の不衛生等でミネラル注入する系統において雑菌が繁殖する可能性がある等の問題があった。
【０００５】
従って、これらの問題を解決すべく新たなミネラル濃度を安定させる事が出来る自動販売装置の早期開発が望まれている。
【０００６】
これまでに出願されているミネラル水の自動販売装置の特許文献を参考の為、紹介する。（参考文献１〜４参照。）
【特許文献１】登録実用新案第３０１６５５７号
【特許文献２】特許公開平８−１１５４６５
【特許文献３】特許公開平１０−０４０４５９
【特許文献４】特許公開２００３−０３０７４０
【考案の開示】
【考案が解決しようとする課題】
【０００７】
そこで、上記課題を解決する為に、この考案は万が一、注入されるミネラルに雑菌が繁殖しても殺菌装置を内蔵した中間タンクを設ける事で、安全な製品水が供給可能と成り、且つ、ミネラルの代わりに、より雑菌の繁殖が予見されるお茶の濃縮液やフレーバーの濃縮液を設置する事も可能なミネラル濃度安定型水の自動販売装置を開発・提供する事にある。
【課題を解決するための手段】
【０００８】
この課題を解決する為の手段として、給水配管部に並列接続して設け、ミネラル濃縮液を注入したミネラルタンクと、紫外線殺菌装置や過熱殺菌装置を内蔵して設けた殺菌用中間タンクと、ミネラルタンク内のミネラル水を安定して注水する為の制御部と、ミネラル注水ポンプと、希望濃度選択ボタンとから成り、該希望濃度選択ボタンと制御部を連動させる事により、ミネラル注入ポンプの回転数や脈動数を一定に保ち、作動時間を変化させて、一定流量を確保する事により、ミネラルを安定して注入可能にしたものである。
【考案の効果】
【０００９】
この考案の効果として、給水配管部に並列接続して設け、ミネラル濃縮液を注入したミネラルタンクと、紫外線殺菌装置や過熱殺菌装置を内蔵して設けた殺菌用中間タンクと、ミネラルタンク内のミネラル水を安定して注水する為の制御部と、ミネラル注水ポンプと、希望濃度選択ボタンとから成り、該希望濃度選択ボタンと制御部を連動させる事により、ミネラル注入ポンプの回転数や脈動数を一定に保ち、作動時間を変化させて、一定流量を確保する事により、ミネラルを安定して注入可能にした事で、所定濃度のミネラルを注入する事が出来、又、注水の途中でミネラル注入が終了する為、最終フィルターの残存ミネラルを洗い流す事が出来るので、ミネラル濃度を安定させる事が出来る。又、万が一、注入されるミネラルに雑菌が繁殖しても殺菌装置を内蔵した中間タンクを設ける事で、安全な製品水が供給可能と成り、且つ、ミネラルの代わりに、より雑菌の繁殖が予見されるお茶の濃縮液やフレーバーの濃縮液を設置する事も可能になる等、極めて有益なる効果を奏するものである。
【考案を実施するための最良の形態】
【００１０】
この考案の最良の形態として、従来のサーバー部のケーシング内に新たな機能を追加しても、必要以上に改造部分を増やさずに、互換性を保つ事でコストアップ要因を増やさない事が重要である。
【実施例１】
【００１１】
そこで、この考案の一実施例を図１〜図２に基づいて詳述すると、水を処理する水処理装置を有する造水部のケーシング（Ａ）と、水を販売するサーバー部のケーシング（Ｂ）とを、分離して設け、該ケーシング（Ｂ）でミネラル水を注入して販売するミネラル注入装置を有する自動販売機において、ミネラル注入装置は、給水配管部に並列接続して設け、ミネラル濃縮液を注入したミネラルタンク（Ｄ）と、紫外線殺菌装置や過熱殺菌装置を内蔵して設けた殺菌用中間タンク（１）と、ミネラルタンク内のミネラル水を安定して注水する為の制御部（２）と、ミネラル注水ポンプ（３）と、希望濃度選択ボタン（Ｇ）とから成り、該希望濃度選択ボタン（Ｇ）と制御部（２）を連動させる事により、ミネラル注入ポンプ（３）の回転数や脈動数を一定に保ち、作動時間を変化させて、一定流量を確保する事により、ミネラルを安定して注入可能にした事を特徴とするミネラル濃度安定型水の自動販売装置から構成される。
【００１２】
次に、注入方法について説明すると、注入ポンプの回転数を一定とし、作動時間（秒数）を変化させる事で、最終フィルターの圧力損失等により注水流速が変化した時においても、一定流量を確保する事で、所定濃度のミネラル注入が可能となる。又、注水の途中でミネラル注入が終了する為に、最終フィルターの残存ミネラルを荒い流す事が出来るので、ミネラル濃度を安定させる事が出来る。
【００１３】
又、殺菌を目的としたミネラル中間タンクの設定について述べると、紫外線殺菌装置や過熱殺菌装置を内蔵した中間タンクを新設する事で、万が一、注入されるミネラルに雑菌が繁殖していても、安全な製品水が供給可能と成る。又、ミネラルの代わりに、より雑菌の繁殖が予見されるお茶の濃縮液やフレーバーの濃縮液を設置する事も可能と成る。
【００１４】
図１はサーバー部ケーシング側の給水配管部に新設されたフローチャート図を示し、図２は水の販売装置全体を示し、正面図である。又、図２のＡ部は造水部のケーシングで、Ｂ部はサーバー部のケーシングを示し、本考案はＢ部の造水部のケーシング側に図１に示す、新たな殺菌機能と中間タンクと制御機能を追加増設したものである。
【産業上の利用可能性】
【００１５】
この考案のミネラル濃度安定型水の自動販売装置は、安全な製品水が供給可能と成り、且つ、ミネラルの代わりに、より雑菌の繁殖が予見されるお茶の濃縮液やフレーバーの濃縮液を設置する事も可能な為、多くの飲食関係市場に寄与する点で産業上の利用可能性を有する。
【図面の簡単な説明】
【００１６】
【図１】この考案の一実施例を示し、フローチャート図である。
【図２】この考案の一実施例を示し、図中のＡ部は造水部のケーシングで、Ｂ部はサーバー部のケーシングを示し、正面図である。
【符号の説明】
【００１７】
１  殺菌用中間タンク
２  制御部
３  注水ポンプ
Ａ  造水部のケーシング
Ｂ  造水部のケーシング
Ｄ  ミネラルタンク
Ｆ  フィルター
Ｇ  希望濃度選択ボタン
Ｘ  容器
【図１】
0003136999.tif 000003
【図２】
0003136999.tif 000004